(57)【要約】      （修正有）【課題】検査オーダの割り込みを受け付けるか否かを適応的に決定するＸ線撮影制御装置を提供する。【解決手段】Ｘ線撮影制御装置１は、既に検査を開始して終了までの間に、新たにＲＩＳ１２から検査オーダの取得要求を受信すると、オペレータによる操作を介することなく、当該検査オーダの取得の拒絶をＲＩＳ１２に通知し、当該検査オーダを受信しない。Ｘ線撮影制御装置１は、検査を終了したときには、新たにＲＩＳ１２から検査オーダの取得要求を受信すると、検査オーダに基づく撮影を実行する画面を表示する。【選択図】図１
2015188515.tif 000002
【特許請求の範囲】
【請求項１】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合、前記表示制御の実行を制限する制限手段と、
を有することを特徴とする撮影制御装置。
【請求項２】
前記検査オーダが外部装置に登録されたことを示す通知に応じて、当該通知に対応する検査オーダを受信する受信手段をさらに有し、
前記制限手段は、前記通知を受け取った際に、放射線画像の撮影を行う他の検査オーダについての情報が、放射線画像の撮影を実行するための画面に表示されている場合、前記受信手段による検査オーダの受信を制限することを特徴とする請求項１に記載の撮影制御装置。
【請求項３】
前記検査オーダが外部装置に登録されると、生成、削除または属性が変更されるファイルを監視する監視手段をさらに有し、
前記制限手段は、放射線画像の撮影を行う他の検査オーダについての情報が、放射線画像の撮影を実行するための画面に表示されている場合、前記ファイルの生成、削除または属性の変更を禁止することを特徴とする請求項１に記載の撮影制御装置。
【請求項４】
前記制限手段は、放射線画像の撮影を実行するための画面において、放射線画像の撮影を行う他の検査オーダが決定されている場合に、前記表示制御の実行を制限することを特徴とする請求項１〜３の何れか１項に記載の撮影制御装置。
【請求項５】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合であっても、前記表示制御の実行を許可する許可手段と、
を有することを特徴とする撮影制御装置。
【請求項６】
前記許可手段は、放射線画像の撮影を実行するための画面において、放射線画像の撮影を行う他の検査オーダが決定されている場合であっても、前記表示制御の実行を制限することを特徴とする請求項５に記載の撮影制御装置。
【請求項７】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合、前記表示制御の実行を許可するか否かを決定する決定手段と、
前記決定手段により、前記表示制御の実行を許可することが決定された場合には、前記画面の表示を許可し、そうでない場合には、前記画面を表示することを制限する制御手段と、
を有することを特徴とする撮影制御装置。
【請求項８】
前記決定手段は、前記検査オーダが外部装置に登録されたことを示す通知を受け取った際に、放射線画像の撮影を行う他の検査オーダについての情報が、放射線画像の撮影を実行するための画面に表示されている場合、オペレータによる操作または前記通知の際に送られる情報に基づいて、前記表示制御の実行を許可するか否かを決定することを特徴とする請求項７に記載の撮影制御装置。
【請求項９】
前記検査オーダが外部装置に登録されたことを示す通知に応じて、当該通知に対応する検査オーダを受信する受信手段をさらに有し、
前記制御手段は、前記決定手段により、前記表示制御の実行を許可しないことが決定された場合には、前記受信手段による検査オーダの受信を制限することを特徴とする請求項７または８に記載の撮影制御装置。
【請求項１０】
前記検査オーダが外部装置に登録されると、生成、削除または属性が変更されるファイルを監視する監視手段をさらに有し、
前記制御手段は、前記決定手段により、前記表示制御の実行を許可しないことが決定された場合には、前記ファイルの生成、削除または属性の変更を禁止することを特徴とする請求項７または８に記載の撮影制御装置。
【請求項１１】
前記決定手段は、放射線画像の撮影を実行するための画面において、放射線画像の撮影を行う他の検査オーダが決定されている場合に、前記表示制御の実行を許可するか否かを決定することを特徴とする請求項７〜１０の何れか１項に記載の撮影制御装置。
【請求項１２】
前記表示制御手段は、放射線画像の撮影についてのオーダである検査オーダが外部装置に登録されたことを示す通知に応じて、当該通知に対応する検査オーダに基づく放射線画像の撮影を実行するための画面を表示する表示制御を少なくとも行うことを特徴とする請求項１〜１１の何れか１項に記載の撮影制御装置。
【請求項１３】
前記表示制御手段は、放射線画像の撮影についてのオーダである検査オーダが前記撮影制御装置に登録されたことに応じて、当該検査オーダに基づく放射線画像の撮影を実行するための画面を表示する表示制御を少なくとも行うことを特徴とする請求項１〜１１の何れか１項に記載の撮影制御装置。
【請求項１４】
前記表示制御手段は、オペレータによる前記検査オーダの選択のための操作に応じて、当該選択された検査オーダに基づく放射線画像の撮影を実行するための画面を表示させる表示制御を更に行うことを特徴とする請求項１〜１３の何れか１項に記載の撮影制御装置。
【請求項１５】
請求項１〜１４の何れか１項に記載の撮影制御装置と、
前記撮影制御装置からの指示に基づいて放射線を発生する放射線発生手段と、
前記放射線発生手段により発生した放射線を検出する検出手段と、
を有することを特徴とする放射線撮影装置。
【請求項１６】
請求項１〜１４の何れか１項に記載の撮影制御装置と、
前記撮影制御装置に対して前記検査オーダが登録されたことを示す通知を行う情報処理装置と、
を有することを特徴とする撮影制御システム。
【請求項１７】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合、前記表示制御の実行を制限する制限手段と、
を有することを特徴とする撮影制御システム。
【請求項１８】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合であっても、前記表示制御の実行を許可する許可手段と、
を有することを特徴とする撮影制御システム。
【請求項１９】
放射線画像の撮影についてのオーダである検査オーダが登録されたことに応じて、当該検査オーダに基づく放射線画像の撮影を実行するための画面を表示する表示制御を少なくとも行う表示制御手段と、
放射線画像の撮影を行う他の検査オーダについての情報が、放射線画像の撮影を実行するための画面に表示されている場合、前記表示制御の実行を許可するか否かを決定する決定手段と、
前記決定手段により、前記表示制御の実行を許可することが決定された場合には、前記画面の表示を許可し、そうでない場合には、前記画面を表示することを制限する制御手段と、
を有することを特徴とする撮影制御システム。
【請求項２０】
放射線画像の撮影についてのオーダである検査オーダが登録されたことに応じて、当該検査オーダに基づく放射線画像の撮影を実行するための画面を表示する表示制御を少なくとも行う表示制御工程と、
放射線画像の撮影を行う他の検査オーダについての情報が、放射線画像の撮影を実行するための画面に表示されている場合、前記表示制御の実行を制限する制限工程と、
を有することを特徴とする撮影制御方法。
【請求項２１】
放射線画像の撮影についてのオーダである検査オーダが登録されたことに応じて、当該検査オーダに基づく放射線画像の撮影を実行するための画面を表示する表示制御を少なくとも行う表示制御工程と、
放射線画像の撮影を行う他の検査オーダについての情報が、放射線画像の撮影を実行するための画面に表示されている場合であっても、前記表示制御の実行を許可する許可工程と、
を有することを特徴とする撮影制御方法。
【請求項２２】
放射線画像の撮影についてのオーダである検査オーダが登録されたことに応じて、当該検査オーダに基づく放射線画像の撮影を実行するための画面を表示する表示制御を少なくとも行う表示制御工程と、
放射線画像の撮影を行う他の検査オーダについての情報が、放射線画像の撮影を実行するための画面に表示されている場合、前記表示制御の実行を許可するか否かを決定する決定工程と、
前記決定工程により、前記表示制御の実行を許可することが決定された場合には、前記画面の表示を許可し、そうでない場合には、前記画面を表示することを制限する制御工程と、
を有することを特徴とする撮影制御方法。
【請求項２３】
前記検査オーダを登録する登録工程と、
前記検査オーダが登録されたことを示す通知を行う通知工程と、をさらに有することを特徴とする請求項２０〜２２の何れか１項に記載の撮影制御方法。
【請求項２４】
請求項１〜１４の何れか１項に記載の撮影制御装置の各手段としてコンピュータを機能させることを特徴とするプログラム。
【請求項２５】
請求項１７〜１９の何れか１項に記載の撮影制御システムの各手段としてコンピュータを機能させることを特徴とするプログラム。
【発明の詳細な説明】
【技術分野】
【０００１】
本発明は、撮影制御装置、撮影制御システム、及び撮影制御方法に関し、特に、放射線画像を撮影するために用いて好適なものである。
【背景技術】
【０００２】
大規模の病院では、病院内の各部門の端末をネットワークで相互に接続して構築されたシステムとして、ＨＩＳ（Ｈｏｓｐｉｔａｌ  Ｉｎｆｏｒｍａｔｉｏｎ  Ｓｙｓｔｅｍ）と呼ばれる病院情報システムが構築される場合がある（特許文献１を参照）。この場合、各部門には、ＲＩＳ（Ｒａｄｉｏｌｏｇｙ  Ｉｎｆｏｒｍａｔｉｏｎ  Ｓｙｓｔｅｍ）等、各部門に合わせた情報システムが構築される。このような情報システムでは、医師による検査の依頼情報を別の部門に伝達することができる。この依頼情報を検査オーダという。検査オーダには、依頼元の部門名、検査項目（放射線撮影であれば撮影部位等）、及び患者の個人情報等が含まれる。
【０００３】
例えば、Ｘ線撮影が必要と判断されると、医師はＨＩＳ端末より検査の依頼情報を検査オーダとして入力する。ＨＩＳ端末は、検査オーダを依頼先である放射線部門のＲＩＳに送信する。放射線部門のＲＩＳは、検査オーダを受信すると、当該検査オーダに撮影条件等を付加し、ＭＷＭ（Ｍｏｄａｌｉｔｙ  Ｗｏｒｋｌｉｓｔ  Ｍａｎａｇｅｍｅｎｔ）サーバへ登録する。撮影制御システムでは、ＭＷＭサーバより受信した検査オーダに従って放射線画像の撮影を実施する。
【先行技術文献】
【特許文献】
【０００４】
【特許文献１】特開２００８−２７６２８８号公報
【発明の概要】
【発明が解決しようとする課題】
【０００５】
ところで、例えばＲＩＳの端末及び撮影制御システムの端末を操作室に併設し、最低限の移動でそれぞれの端末の操作ができるようにすることが考えられる。この場合、ＲＩＳから撮影制御システムに対して、検査オーダの取得要求を行い、検査オーダの取得要求の受信に応じて撮影制御システムが検査オーダを取得することが考えられる。このようにすれば、オペレータは、検査オーダの取得のために、ＲＩＳの端末及び撮影制御システムの端末の其々に対し操作を行う手間が省かれる。
【０００６】
しかしながら、このようにした場合、既に検査を開始しているときに新たな検査オーダの取得要求が発行されることが考えられる。この場合、前述した検査オーダの取得要求の受信に応じてオペレータによる操作を介することなく検査オーダを取得する機能を発現させたい状況と発現させたくない状況とが生じうる。また、検査オーダを取得した後には、当該検査オーダを実行させたい状況と実行させたくない状況とが生じうる。
【課題を解決するための手段】
【０００７】
そこで本発明の実施形態の１つに係る撮影制御装置は、放射線画像の撮影についてのオーダである検査オーダが登録されたことに応じて、当該検査オーダに基づく放射線画像の撮影を実行するための画面を表示する表示制御を少なくとも行う表示制御手段と、放射線画像の撮影を行う他の検査オーダについての情報が、放射線画像の撮影を実行するための画面に表示されている場合、前記表示制御の実行を制限する制限手段と、を有することを特徴とする。
本発明のその他の実施形態に係る撮影制御装置は、放射線画像の撮影についてのオーダである検査オーダが登録されたことに応じて、当該検査オーダに基づく放射線画像の撮影を実行するための画面を表示する表示制御を少なくとも行う表示制御手段と、放射線画像の撮影を行う他の検査オーダについての情報が、放射線画像の撮影を実行するための画面に表示されている場合であっても、前記表示制御の実行を許可する許可手段と、を有することを特徴とする。
本発明のその他の実施形態に係る撮影制御装置は、放射線画像の撮影についてのオーダである検査オーダが登録されたことに応じて、当該検査オーダに基づく放射線画像の撮影を実行するための画面を表示する表示制御を少なくとも行う表示制御手段と、放射線画像の撮影を行う他の検査オーダについての情報が、放射線画像の撮影を実行するための画面に表示されている場合、前記表示制御の実行を許可するか否かを決定する決定手段と、前記決定手段により、前記表示制御の実行を許可することが決定された場合には、前記画面の表示を許可し、そうでない場合には、前記画面を表示することを制限する制御手段と、を有することを特徴とする。
【発明の効果】
【０００８】
前述の構成により検査オーダの割り込みを受け付けるか否かを適応的に決定することができる。
【図面の簡単な説明】
【０００９】
【図１】撮影制御システムの構成を示す図である。
【図２Ａ】初期状態の新規検査入力画面を示す図である。
【図２Ｂ】検査オーダが表示された状態の新規検査入力画面を示す図である。
【図２Ｃ】検査オーダが指定された状態の新規検査入力画面を示す図である。
【図３】撮影情報入力領域が表示された状態の新規検査入力画面を示す図である。
【図４Ａ】初期状態の撮影画面を示す図である。
【図４Ｂ】Ｘ線画像が表示された状態の撮影画面を示す図である。
【図５】Ｘ線撮影制御装置の動作の第１の例を説明するフローチャートである。
【図６】Ｘ線撮影制御装置の動作の第２の例を説明するフローチャートである。
【図７】Ｘ線撮影制御装置の動作の第３の例を説明するフローチャートである。
【図８】割り込み撮影であることが示された撮影画面の第１の例を示す図である。
【図９】割り込み撮影であることが示された撮影画面の第２の例を示す図である。
【図１０】Ｘ線撮影制御装置の動作の第の例を説明するフローチャートである。
【図１１】選択アラート画面を示す図である。
【発明を実施するための形態】
【００１０】
以下、図面を参照しながら、本発明の実施形態を説明する。
【００１１】
（第１の実施形態）
まず、第１の実施形態を説明する。
図１は、撮影制御システムの構成の一例を示す図である。本実施形態では、放射線がＸ線である場合を例に挙げて説明する。
撮影制御システムは、Ｘ線撮影制御装置１と、ＨＩＳ（病院情報システム）１１と、ＲＩＳ（放射線部門内情報システム）１２と、ＰＡＣＳ（画像サーバ）１３と、プリンタ１４とを有する。また、撮影制御システムは、撮影台６ａ、６ｂと、Ｘ線検出器７ａ、７ｂと、Ｘ線発生部８ａ、８ｂとを有する。ここで、本実施形態では、少なくとも、Ｘ線撮影制御装置１とＲＩＳ１２とが同じ撮影室にあるものとする。ただし、Ｘ線撮影制御装置１とＲＩＳ１２とが同じ撮影室になくてもよい。
【００１２】
ＨＩＳ（Ｈｏｓｐｉｔａｌ  Ｉｎｆｏｒｍａｔｉｏｎ  Ｓｙｓｔｅｍ）１１は、放射線撮影の進捗を管理するためのシステムである。ＨＩＳ１１は、ＨＩＳ端末を含む。また、ＨＩＳ１１は、会計情報を管理するサーバを含んでいても良い。
Ｘ線の撮影が必要と判断されると、医師は、ＨＩＳ端末に対して検査の依頼情報を入力する。ＨＩＳ端末は、検査の依頼情報を依頼先である放射線部門のＲＩＳ（Ｒａｄｉｏｌｏｇｙ  Ｉｎｆｏｒｍａｔｉｏｎ  Ｓｙｓｔｅｍ）１２に伝達する。この依頼情報を検査オーダという。この検査オーダには、依頼元の部門名、検査項目、及び被検者（患者）の個人データ等が含まれる。検査項目としては、例えば、被検者の１または複数の撮影部位等が挙げられる。被検者の個人データとしては、例えば、患者名、患者ＩＤ、生年月日、年齢、性別等が挙げられる。
【００１３】
放射線部門のＲＩＳ１２（ＲＩＳ端末）は、検査オーダを受信すると、当該検査オーダに撮影条件等を付加して登録する。また、ＲＩＳ１２は、Ｘ線撮影制御装置１からの問い合わせに応じて、当該撮影条件等が付加された検査オーダをＸ線撮影制御装置１へ送信する。Ｘ線撮影制御装置１は、受信した検査オーダに従ってＸ線の撮影を実施する。Ｘ線撮影制御装置１は、撮影された画像に、検査オーダを付加する。Ｘ線撮影制御装置１は、検査オーダが付加された画像を、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍｓ）１３へ転送したり、プリンタ１４へ出力したりする。また、Ｘ線撮影制御装置１は、検査の実施情報を、ＨＩＳ１１へ転送する。ＨＩＳ１１へ転送された実施情報は、検査の進捗管理以外に、検査後の会計処理にも用いられる。
【００１４】
これら各システムにおける情報処理装置は、例えば、ＬＡＮ（Ｌｏｃａｌ  Ａｒｅａ  Ｎｅｔｗｏｒｋ）やＷＡＮ（Ｗｉｄｅ  Ａｒｅａ  Ｎｅｔｗｏｒｋ）等で構成されるネットワーク１５を介して相互に接続される。尚、これら各情報処理装置には、１又は複数のコンピュータが含まれる。コンピュータは、例えば、ＣＰＵ等の主制御手段と、ＲＯＭ（Ｒｅａｄ  Ｏｎｌｙ  Ｍｅｍｏｒｙ）やＲＡＭ（Ｒａｎｄｏｍ  Ａｃｃｅｓｓ  Ｍｅｍｏｒｙ）等の記憶手段と、を具備する。また、コンピュータは、ネットワークカード等の通信手段や、キーボード、ディスプレイ又はタッチパネル等の入出力手段等、を具備していてもよい。これら各構成手段は、バス等により相互に接続され、主制御手段が記憶手段に記憶されたプログラムを実行することで制御される。
【００１５】
本実施形態では、ＲＩＳ１２は、ＨＩＳ端末から受信した検査オーダに撮影条件等を付加して自身に登録する場合を例に挙げて説明する。しかしながら、検査オーダを登録する外部装置は、ＲＩＳ１２に限定されない。例えば、ＲＩＳ１２は、検査オーダを受信すると、検査オーダに撮影条件等を付加してＭＷＭ（Ｍｏｄａｌｉｔｙ  Ｗｏｒｋｌｉｓｔ  Ｍａｎａｇｅｍｅｎｔ）サーバへ登録してもよい。この場合、Ｘ線撮影制御装置１は、ＭＷＭサーバに登録された検査オーダを取得することになる。ただし、この場合であっても、後述する検査オーダの取得要求はＲＩＳ１２から行われることになる。
【００１６】
Ｘ線撮影制御装置１は、撮影制御装置の一例であり、撮影装置表示部２と、撮影装置操作部３と、Ｘ線発生装置制御部４と、撮影装置制御部５と、表示制御部１６と、受信部１７及び送信部１８を含む通信部２０と、画像取得部２１とを有する。
Ｘ線発生装置制御部４は、ケーブル９を介してＸ線発生部８ａ、８ｂと相互に接続される。Ｘ線発生装置制御部４は、Ｘ線発生部８ａ、８ｂにおけるＸ線の照射を制御する。ここで、Ｘ線発生部８ａ、８ｂは、放射線発生部として機能する。Ｘ線発生部８ａ、８ｂは、例えば、Ｘ線管球を有し、被写体（例えば、患者の特定部位）に向けてＸ線を照射する。
【００１７】
撮影装置表示部２は、例えば、液晶ディスプレイ等で実現され、各種情報をオペレータ（撮影技師、医師）に向けて表示する。撮影装置表示部２への画像の表示は、表示制御部１６による制御に従って行われる。撮影装置操作部３は、例えば、マウスや操作ボタン等を有し、オペレータからの各種指示をＸ線撮影制御装置１内に入力する。尚、撮影装置表示部２及び撮影装置操作部３は、それらが一体となったタッチパネルで実現されてもよい。
【００１８】
Ｘ線撮影制御装置１は、ケーブル１０を介してＸ線検出器７ａ、７ｂに相互に接続される。ケーブル１０により両者の間では、電源、画像信号、及び制御信号等が授受される。Ｘ線検出器７ａ、７ｂは、被写体を透過したＸ線を検出し、当該被写体に基づくＸ線画像（放射線画像）を取得する検出器として機能する。すなわち、Ｘ線発生部８ａ、８ｂ及びＸ線検出器７ａ、７ｂが連携して動作することによりＸ線撮影部が実現される。尚、Ｘ線検出器７ａ、７ｂは、それぞれ立位の撮影台６ａ、臥位の撮影台６ｂに設置される。
【００１９】
通信部２０の受信部１７は、ＲＩＳ１２から、検査オーダの取得要求や、１つまたは複数の検査オーダ等を受信する。前述したように、検査オーダには、依頼元の部門名、検査項目、及び被検者（患者）の個人データ等が含まれる。
撮影装置制御部５は、Ｘ線撮影制御装置１における処理を統括制御する。撮影装置制御部５は、ＲＩＳ１２から受信した検査オーダのうち、少なくとも１つの検査オーダに対応するＸ線撮影の開始を指示する指示部として機能する。撮影装置制御部５は、例えば、撮影装置操作部３に対するオペレータによる検査オーダの入力操作を受けると、Ｘ線撮影の開始の指示を行う。あるいは、撮影装置制御部５が、実行すべき検査オーダを選択し、選択した検査オーダに基づくＸ線撮影の開始を指示することとしてもよい。
【００２０】
この撮影開始の指示に応じて、送信部１８は、ＨＩＳ１１に対して、検査オーダに基づくＸ線撮影を開始したことを示す情報を送信する。これによりＨＩＳ１１は、当該検査オーダについてのステータスを変更し、検査が開始されたことを示すステータスとする。その後、当該検査オーダに対応する全てのＸ線撮影が終了し、オペレータが、撮影装置操作部３を介して検査オーダの完了を確認する入力を行うと、送信部１８は、当該検査オーダについてのＸ線撮影が終了したことを示す情報をＨＩＳ１１に送信する。これにより、ＨＩＳ１１は、当該検査オーダについてのステータスを変更し、検査が終了したことを示すステータスとする。
【００２１】
検査オーダの取得における通信は、ＤＩＣＯＭ（Ｄｉｇｉｔａｌ  Ｉｍａｇｉｎｇ  ａｎｄ  ＣＯｍｍｕｎｉｃａｔｉｏｎ  ｉｎ  Ｍｅｄｉｃｉｎｅ）により規定されたプロトコルにて行われる。また、ＩＨＥテクニカルフレームワークの撮影装置業務一覧問合せ（Ｑｕｅｒｙ Ｍｏｄａｌｉｔｙ Ｗｏｒｋｌｉｓｔ）トランザクションでは、プル型の実装法が定義されている。プル型で検査オーダを取得する場合には、Ｘ線撮影制御装置１がクライアントとなり、Ｘ線撮影制御装置１に対するオペレータの操作に基づいて、情報システム（ＲＩＳ１２やＭＷＭサーバ）へ検査オーダを問い合わせる。そして、当該情報システムからＸ線撮影制御装置１に検査オーダをダウンロードする。
【００２２】
これに対し、例えば、ＲＩＳ１２とＸ線撮影制御装置１とが同じ撮影室内に並んで配置されている場合、プッシュ型で検査オーダを取得することが考えられる。プッシュ型で検査オーダを取得する場合、Ｘ線撮影制御装置１は、ＲＩＳ１２から、検査オーダの取得要求を独自のプロトコルで受信できるようする。そして、Ｘ線撮影制御装置１は、検査オーダの取得要求で特定される検査オーダを、情報システム（ＲＩＳ１２やＭＷＭサーバ）へ問い合わせる。そして、当該情報システムからＸ線撮影制御装置１に検査オーダをダウンロードする。このようにすれば、オペレータは、ＲＩＳ１２とＸ線撮影制御装置１の双方に対して、検査オーダの取得のための操作を行う必要がなくなる。
【００２３】
尚、検査オーダの取得要求には、検査オーダの検索条件が含まれる場合がある。この検索条件は、Ｘ線撮影制御装置１が情報システムから検査オーダを取得する際に用いられる。ただし、検査オーダの取得要求に、取得すべき検査オーダを特定するための情報が含まれていれば、必ずしも検査オーダの取得要求に検査オーダの検索条件が含まれていなくてもよい。
【００２４】
本実施形態では、Ｘ線撮影制御装置１は、以上のプル型とプッシュ型の双方の形態で検査オーダを情報システムから取得し、取得した検査オーダに基づくＸ線撮影を行うことができるものとする。この他、本実施形態のＸ線撮影制御装置１は、情報システムとの通信を行わずに、Ｘ線撮影制御装置１に対するオペレータの操作に基づいて検査オーダをマニュアルで入力し、入力した検査オーダに基づくＸ線撮影を行うこともできるものとする。尚、以下の説明では、このような形態をマニュアルと称する。
【００２５】
ここで、検査の流れに沿ってＸ線画像を撮影する際の、図１に示す撮影制御システムにおける処理の流れの一例を説明する。
まず、撮影装置表示部２は、表示制御部１６の制御により、図２Ａに示す新規検査入力画面を表示する。図２Ａは、新規検査入力画面の初期状態を示す。新規検査入力画面は、患者情報入力領域１０１と、患者情報確定ボタン１０２と、依頼検査リスト１０３と、患者情報表示領域１０４と、撮影情報表示領域１０５と、撮影情報入力ボタン１０６と、検査開始ボタン１０７と、更新指示ボタン１０８と、を含む。
【００２６】
患者情報入力領域１０１と、患者情報確定ボタン１０２は、マニュアルで検査オーダを取得する場合に入力される。オペレータによる撮影装置操作部３に対する操作の内容に基づいて、患者情報入力領域１０１に被検者（患者）の個人データが入力（表示）される。その後、患者情報入力領域１０１に入力（表示）された被検者（患者）の個人データを確定する場合、オペレータは、患者情報確定ボタン１０２を押下する。そうすると、患者情報確定ボタン１０２が押下された時点で患者情報入力領域１０１に入力（表示）された被検者（患者）の個人データが患者情報表示領域１０４に表示される。
【００２７】
撮影情報表示領域１０５には、検査ＩＤが表示され、その直ぐ下の領域には、当該検査ＩＤに対応する撮影方法が表示される。
マニュアルで検査オーダを入力する場合、オペレータは、撮影情報入力ボタン１０６を押下する。そうすると、図３に示すように、新規検査入力画面に撮影情報入力領域１１０が表示される。撮影情報入力領域１１０に表示された撮影方法ボタンの何れか１つ又は複数をオペレータが選択すると、撮影情報表示領域１０５に、選択された撮影方法ボタンが表示される。撮影方法ボタンは、撮影方法を選択するためのボタンである。ここでは、撮影方法ボタンは、撮影部位と撮影を行うセンサ（Ｘ線検出器７ａ、７ｂ）とを選択するためのボタンであるものとする。図３に示す例では胸部正面ボタン１０９ａ、胸部側面ボタン１０９ｂが選択されたことを示す。
【００２８】
プル型で検査オーダを取得する場合、オペレータは、更新指示ボタン１０８を押下する。すると、送信部１８は、ＲＩＳ１２に対して、検査オーダの問い合わせを行う。この問い合わせに応じてＲＩＳ１２から送信された検査オーダを受信部１７で受信する。この検査オーダの一覧が依頼検査リスト１０３に表示される（図２Ｂを参照）。依頼検査リスト１０３に表示された検査オーダの一覧の中からオペレータが何れか１つの検査オーダを選択すると、当該検査オーダに含まれる被検者（患者）の個人データ（患者ＩＤ、患者名、生年月日等）が患者情報表示領域１０４に表示される。
【００２９】
プッシュ型で検査オーダを取得する場合には以下のような動作になる。まず、ＲＩＳ１２は、ＨＩＳ１１から検査オーダを受信して登録することにより、当該検査オーダをＸ線撮影制御装置１が取得できる状態になると、Ｘ線撮影制御装置１に検査オーダの取得要求を送信する。
撮影装置制御部５は、受信部１７を介して検査オーダの取得要求を受けると、送信部１８を介してＲＩＳ１２に対し、検査オーダの問い合わせを行う。この問い合わせに応じてＲＩＳ１２から送信された検査オーダを受信部１７で受信する。この検査オーダの一覧が依頼検査リスト１０３に表示される（図２Ｂを参照）。依頼検査リスト１０３に表示された検査オーダの一覧の中からオペレータが何れか１つの検査オーダを選択すると、当該検査オーダに含まれる被検者（患者）の個人データ（患者ＩＤ、患者名、生年月日等）が患者情報表示領域１０４に表示される。
【００３０】
前述したように、撮影情報表示領域１０５には、検査ＩＤが表示される。プル型及びプッシュ型で検査オーダを取得した場合には、その直ぐ下の領域に、当該検査ＩＤに対応する撮影情報が自動的に表示される。撮影情報は、前述した通り、ＲＩＳ１２から送信される検査オーダに含まれる。図２Ｃに示す例では、撮影情報に対応した撮影方法ボタンとして、胸部正面ボタン１０９ａ、胸部側面ボタン１０９ｂが撮影情報表示領域１０５に表示される。前述したように、撮影情報入力ボタン１０６を押下に伴って、図３に示したように撮影情報入力領域１１０を表示し、さらに撮影方法を追加することもできる。
【００３１】
プッシュ型、プル型、及びマニュアルの何れの場合でも、オペレータは、以上のようにして得られた患者情報及び撮影情報を確認した後、検査開始ボタン１０７を押下する。これにより、実施する検査が確定する。また、プッシュ型、プル型では、検査オーダの問い合わせの結果が１件であった場合等、オペレータに検査オーダの選択を強いる必要がない場合、検査オーダの選択および検査開始ボタン１０７の押下を自動的に実施することで、オペレータの操作を軽減できる。ただし、検査オーダの問い合わせの結果が１件であった場合でも、２件以上である場合と同様に、検査開始ボタン１０７の押下をオペレータに促してもよい。
【００３２】
検査開始ボタン１０７の押下に伴って、撮影装置表示部２は、図２Ｃに示す新規検査入力画面を図４Ａに示す撮影画面に変更する。撮影画面は、撮影時に用いられる画面である。
撮影画面は、基本的には、図２Ａ〜図２Ｃで説明した新規検査入力画面と同様の表示領域を有する。撮影画面では、新規検査入力画面の患者情報入力領域１０１、患者情報確定ボタン１０２、及び依頼検査リスト１０３が表示されていた領域に撮影画像表示領域１１１が表示される。尚、この段階では撮影が行われていないので、撮影画像表示領域１１１にＸ線画像は表示されない。
また、患者情報表示領域１０４の上に、メッセージ領域１１２が表示される。また、撮影情報表示領域１０５の直ぐ下に画像処理設定領域１１３が表示される。さらに、検査開始ボタン１０７が表示されていた領域に検査終了ボタン１１４が表示される。
【００３３】
撮影画面が表示されると、新規検査入力画面の撮影情報表示領域１０５内で最も上部に配された撮影方法ボタン１０９ａがデフォルトで選択状態になる。これに伴って、撮影装置制御部５は、当該撮影方法ボタン（撮影方法）に対応して設定された撮影条件（管電圧、管電流、照射時間等）をＸ線発生装置制御部４に送信する。すると、Ｘ線発生装置制御部４は、当該撮影条件に従ってＸ線検出器７ａ又は７ｂを制御して撮影の準備を整える。
撮影の準備が整うと、Ｘ線撮影制御装置１は、撮影可能状態へ遷移する。このとき、メッセージ領域１１２には、撮影可能状態であることを示す「Ｒｅａｄｙメッセージ」が表示される。
【００３４】
続いて、オペレータは、撮影方法を確認し、撮影のセッティング及び患者のポジショニングを行う。一連の撮影の準備が完了すると、オペレータは、メッセージ領域１１２を参照して撮影可能状態であることを確認した後、Ｘ線照射スイッチ（不図示）を押下する。すると、Ｘ線発生部８ａ又は８ｂは、Ｘ線発生装置制御部４からの制御により、被写体（患者の特定部位）に向けてＸ線を照射する。Ｘ線検出器７ａ、７ｂは、当該被写体を透過したＸ線を検出する。これにより、Ｘ線画像の撮影が行われる。
【００３５】
撮影が済むと、撮影装置制御部５は、画像取得部２１を介して、Ｘ線検出器７から、撮影されたＸ線画像を取得する。さらに、撮影装置制御部５は、当該取得したＸ線画像に対して所定の画像処理条件に基づいて画像処理を実施する。所定の画像処理条件は、例えば、撮影方法に対応して予め規定されている。
画像処理が終了すると、図４Ｂに示すように、撮影装置表示部２は、当該画像処理されたＸ線画像を撮影画像表示領域１１１に表示する。オペレータは、例えば、当該Ｘ線画像のコントラスト等を変更したい場合、画像処理設定領域１１３に設けられたコントラストや輝度等のボタンを操作する。これにより、オペレータは、当該撮影画像表示領域１１１に表示されたＸ線画像に対して追加の画像処理を実施できる。尚、オペレータが、未撮影の撮影方法ボタン１０９ｂを押下した場合には、当該Ｘ線画像の撮影条件、画像処理条件を保存し、撮影方法ボタン１０９ｂ（撮影方法）による次の撮影が始まる。
【００３６】
オペレータは、以上の手順を繰り返して撮影情報表示領域１０５内の全ての撮影方法ボタン１０９ａ、１０９ｂ（撮影方法）による撮影を実施する。全ての撮影が終了すると、オペレータは、検査終了ボタン１１４を押下する。これにより、一連の検査が終了し、Ｘ線撮影制御装置１は、再度、新規検査入力画面を表示する。
【００３７】
また、Ｘ線撮影制御装置１は、撮影されたＸ線画像、検査情報（撮影方法等）、及び患者情報（被検者（患者）の個人データ等）等を、例えば、ＰＡＣＳ１３、プリンタ１４、及び自装置における記憶媒体の少なくとも何れか１つに出力する。尚、ＰＡＣＳ１３やＸ線撮影制御装置１内の記憶媒体等においては、当該撮影されたＸ線画像と患者情報は、相互に関連付けて格納される。
【００３８】
前述したプッシュ型、プル型、又はマニュアルで検査オーダを取得し、取得した検査オーダについて前述したようにして検査を開始した後に、ＲＩＳ１２からの検査オーダの取得要求があることが起こり得る。
このような検査オーダの取得要求が可能なシステムにおいては、Ｘ線撮影制御装置１にて終了操作を実施した後に、ＲＩＳ１２にて検査オーダの取得要求を行うことが考えられる。
しかしながら、システムが単一のシステムでないうえ、この終了操作は、予定通りの順序で検査を繰り返し実施する通常のフローにはない操作である。このため、オペレータに不慣れな操作を強いることになり、オペレータが所定の終了操作を行わずに、終了操作がスキップされてしまうことも考えられる。
【００３９】
仮に終了操作がスキップされた場合、ＲＩＳ１２にて検査オーダの取得要求を行うも、Ｘ線撮影制御装置１は、前の検査の撮影中のステータスのままであるため、新たな検査オーダによる検査は開始されない。さらに、ＲＩＳ１２からの検査オーダの取得要求を受け付けてしまうと、撮影時にオペレータが患者・検査情報の確認を怠ること等により、検査オーダで示される患者と実際に撮影した患者とが異なってしまい、患者の取り違えが生じる虞がある。
【００４０】
そこで、本実施形態では、既に検査を開始している検査オーダを、新たに取得要求のあった検査オーダよりも優先し、検査開始より検査終了までの間、撮影装置制御部５は、ＲＩＳ１２からの検査オーダの取得要求を拒絶する。この場合、Ｘ線撮影制御装置１は、検査オーダの取得要求には応じず、ＲＩＳ１２に対し検査オーダの問い合わせを行わない。
【００４１】
図５は、ＲＩＳ１２から検査オーダを受信した場合のＸ線撮影制御装置１の動作の一例を説明するフローチャートである。
ステップＳ５０１において、撮影装置制御部５は、検査オーダの取得要求を、受信部１７を介して取得する。
次に、ステップＳ５０２において、撮影装置制御部５は、検査を実施中であるか否かを判定する。本実施形態では、プッシュ型、プル型、又はマニュアルの何れの形態でも、検査開始ボタン１０７が押下されてから、検査終了ボタン１１４が押下されるまでの期間が、検査を実施中の期間である場合を例に挙げて説明する。
【００４２】
この判定の結果、検査を実施中でない場合には、ステップＳ５０３に進む。ステップＳ５０３に進むと、撮影装置制御部５は、ＲＩＳ１２から、受信部１７を介して検査オーダを取得する。
次に、ステップＳ５０４において、撮影装置制御部５は、ステップＳ５０３で取得した検査オーダの数が１件であるか否かを判定する。この判定の結果、検査オーダの数が１件である場合、ステップＳ５０５に進む。ステップＳ５０５に進むと、撮影装置制御部５は、検査開始ボタン１０７の押下を自動的に実施し、検査の開始を指示する。
【００４３】
この場合、撮影装置制御部５は、図４Ａに示す撮影画面の患者情報表示領域１０４に、当該検査オーダに含まれる被検者の個人データを表示することを表示制御部１６に指示する。また、撮影装置制御部５は、図４Ａに示す撮影画面の撮影情報表示領域１０５に、当該検査オーダに含まれる撮影情報に対応した撮影ボタンを表示することを表示制御部１６に指示する。この状態では、撮影画像表示領域１１１にＸ線画像は表示されない。さらに、撮影装置制御部５は、図４Ａに示す撮影画面のメッセージ領域１１２には、撮影可能状態であることを示す「Ｒｅａｄｙメッセージ」を表示することを表示制御部１６に指示する。その後は図４Ｂを参照しながら説明したようにして検査が行われる。そして、図５のフローチャートによる処理を終了する。
【００４４】
一方、ステップＳ５０４において、検査オーダの数が１件でない場合（検査オーダの数が複数である場合）には、ステップＳ５０６に進む。ステップＳ５０６に進むと、撮影装置制御部５は、図２Ｂに示したように、新規検査入力画面の依頼検査リスト１０３に、当該複数の検査オーダの一覧を表示することを、表示制御部１６に指示する。
そして、図２Ｃに示したように、当該複数の検査オーダの何れかがオペレータにより選択されると、撮影装置制御部５は、患者情報表示領域１０４に、当該選択された検査オーダに含まれる被検者の個人データを表示することを表示制御部１６に指示する。
【００４５】
さらに、撮影装置制御部５は、撮影情報表示領域１０５に、当該選択された検査オーダに含まれる撮影情報に対応した撮影ボタンを表示することを表示制御部１６に指示する。そして、撮影装置制御部５は、オペレータにより検査開始ボタン１０７の押下があると、検査の開始を指示する。その後は図４Ａ及び図４Ｂを参照しながら説明したようにして検査が行われる。そして、図５のフローチャートによる処理を終了する。
【００４６】
また、ステップＳ５０２において、検査を実施中であると判定されると、ステップＳ５０７に進む。ステップＳ５０７に進むと、撮影装置制御部５は、送信部１８を介して、ＲＩＳ１２へ、検査オーダの取得要求を拒絶することを通知する。この場合、Ｘ線撮影制御装置１は、ＲＩＳ１２から取得要求のあった検査オーダを取得しない。
次に、ステップＳ５０８において、Ｘ線撮影制御装置１は、検査中の検査を続行し、当該検査が終了すると、図５のフローチャートによる処理を終了する。
【００４７】
以上のように本実施形態では、Ｘ線撮影制御装置１は、検査の開始から終了までの間に、ＲＩＳ１２から検査オーダの取得要求を受信すると、当該検査オーダの取得の拒絶をＲＩＳ１２に通知し、当該検査オーダを受信しない。したがって、当該検査オーダによる新規検査入力画面と撮影画面の表示が制限される。よって、検査中の検査オーダに、新たな検査オーダが割り込むことによって、オペレータの判断ミスに起因した患者の取り違えが生じる（検査オーダで指示されている患者と実際に撮影を行った患者が異なる）リスクを低減させることができる。
【００４８】
本実施形態では、Ｘ線撮影制御装置１は、ＲＩＳ１２から検査オーダの取得要求を受信することにより、検査オーダの取得要求があることを判断する場合を例に挙げて説明した。しかしながら、必ずしも検査オーダの取得要求を受信することにより、検査オーダの取得要求があったと判断する必要はない。
【００４９】
例えば、ＲＩＳ１２とＸ線撮影制御装置１で特定のファイルを共有することでも実現できる。このようにする場合、例えば、ＲＩＳ１２は、取得要求ファイルを特定のフォルダに生成する。Ｘ線撮影制御装置１は、当該フォルダ内のファイルを監視し、ＲＩＳ１２による取得要求ファイルの生成を検知すると、検査オーダの取得要求があったと判断する。また、Ｘ線撮影制御装置１は、ＲＩＳ１２が、当該フォルダ内の特定のファイルのファイル名を特定のファイル名に変更することを検知すると、検査オーダの取得要求があったと判断するようにしてもよい。この他、Ｘ線撮影制御装置１は、ＲＩＳ１２が、当該フォルダ内の特定のファイルを削除したことを検知すると、検査オーダの取得要求があったと判断するようにしてもよい。
【００５０】
また、以上のようにした場合に検査オーダの取得要求を拒絶するには、例えば、Ｘ線撮影制御装置１は、検査を開始してから終了するまでの間、当該フォルダ内へのファイルの生成、削除、又は、当該フォルダ内の特定のファイルの属性の変更の禁止を行う。このようにすることにより、Ｘ線撮影制御装置１は、検査中に新たな検査オーダの取得要求を検知しないことになる。また、ＲＩＳ１２は、取得要求ファイルの生成、削除、属性の変更に失敗することにより、検査オーダの取得が拒絶されたと認識することができる。
【００５１】
また、本実施形態では、プッシュ型、プル型、又はマニュアルの何れの形態でも、検査開始ボタン１０７が押下されてから、検査終了ボタン１１４が押下されるまでの期間に、検査を実施中である場合を例に挙げて説明した。しかしながら、検査を行う被検者（患者）が特定されてから、検査終了ボタン１１４が押下されるまでの期間を検査の実施中の期間としてもよい。
【００５２】
例えば、プッシュ型及びプル型で検査オーダを取得する場合には、新規検査入力画面の依頼検査リスト１０３に検査オーダの一覧が表示されてから、検査終了ボタン１１４が押下されるまでの期間を検査の実施中の期間としてもよい。この他、新規検査入力画面の依頼検査リスト１０３において最初に検査オーダが選択されてから、検査終了ボタン１１４が押下されるまでの期間を検査の実施中の期間としてもよい。
【００５３】
また、前述したように、プッシュ型及びプル型で検査オーダを取得する場合であって、検査オーダが１件である場合には、新規検査入力画面（図２Ａ等）を表示せずに撮影画面（図４Ａ等）を表示することができる。この場合、撮影画面の患者情報表示領域１０４に、当該検査オーダに含まれる被検者の個人データが表示されてから、検査終了ボタン１１４が押下されるまでの期間を検査の実施中の期間としてもよい。
さらに、マニュアルで検査オーダを取得する場合には、患者情報確定ボタン１０２が押下されてから、検査終了ボタン１１４が押下されるまでの期間を検査の実施中の期間としてもよい。
【００５４】
また、プッシュ型で検査オーダを取得する場合、Ｘ線撮影制御装置１では、検査オーダの取得要求を受け付けたことに応じて、当該検査オーダに基づくＸ線画像の撮影を実行する画面の１つの例として、初期状態の新規検査入力画面を表示してもよい。また、Ｘ線撮影制御装置１は、検査オーダの問い合わせに応じてＲＩＳ１２から送信された検査オーダを取得して自装置に登録したことに応じて、この検査オーダの一覧を依頼検査リスト１０３に表示するようにしてもよい。この場合、初期状態の新規検査入力画面を表示させてから、検査オーダの一覧を依頼検査リスト１０３に表示させてもよいし、検査オーダの一覧が依頼検査リスト１０３に表示された状態の新規検査入力画面を、初期状態の画面を介さずに表示してもよい。
【００５５】
また、Ｘ線撮影制御装置１及びＲＩＳ１２等、撮影制御システムを構成する装置が有する機能を複数の装置に分散させてもよい（前記複数の装置は、日本国内にあっても日本国外にあってもよい）。例えば、Ｘ線撮影制御装置１と通信可能に接続された別の装置により作成された新規検査入力画面がＸ線撮影制御装置１に送信され、Ｘ線撮影制御装置１は、当該新規検査入力画面を表示してもよい。
【００５６】
（第２の実施形態）
次に、第２の実施形態を説明する。第１の実施形態では、検査の実施中に、ＲＩＳ１２から検査オーダの取得要求を受信すると、Ｘ線撮影制御装置１は、当該検査オーダを受信しない場合を例に挙げて説明した。これに対し、本実施形態では、検査の開始から終了までの間に、ＲＩＳ１２から検査オーダの取得要求を受信すると、当該検査オーダを受信して保留しておき、実施中の検査が終了すると、当該受信した検査オーダによる検査を行う。このように、本実施形態と第１の実施形態とは、検査中に、ＲＩＳ１２から検査オーダの取得要求を受信した場合の処理の一部が主として異なる。したがって、本実施形態の説明において第１の実施形態と同一の部分については、図１〜図５に付した符号と同一の符号を付す等して詳細な説明を省略する。
【００５７】
図６は、ＲＩＳ１２から検査オーダを受信した場合のＸ線撮影制御装置１の動作の一例を説明するフローチャートである。
ステップＳ６０１において、撮影装置制御部５は、検査オーダの取得要求を、受信部１７を介して取得する。
次に、ステップＳ６０２において、撮影装置制御部５は、ＲＩＳ１２から、受信部１７を介して検査オーダを取得する。
次に、ステップＳ６０３において、撮影装置制御部５は、検査を実施中であるか否かを判定する。検査を実施中であるか否かの判定手法は、第１の実施形態で説明した通りである。
【００５８】
この判定の結果、検査を実施中でない場合には、ステップＳ６０４、Ｓ６０５を省略して後述するステップＳ６０６に進む。
一方、検査を実施中である場合には、ステップＳ６０４に進む。ステップＳ６０４に進むと、Ｘ線撮影制御装置１は、検査中の検査を続行する。
次に、ステップＳ６０５において、撮影装置制御部５は、実施中の検査が終了したか否かを判定する。具体的に本実施形態では、検査終了ボタン１１４が押下されたことにより、実施中の検査が終了したと判定する。この判定の結果、実施中の検査が終了していない場合には、ステップＳ６０４に戻り、実施中の検査が終了するまで、ステップＳ６０４、Ｓ６０５による処理を繰り返し行う。そして、実施中の検査が終了すると、ステップＳ６０６に進む。
【００５９】
ステップＳ６０６に進むと、撮影装置制御部５は、ステップＳ６０１で取得した検査オーダの数が１件であるか否かを判定する。この判定の結果、検査オーダの数が１件である場合には、ステップＳ６０７に進む。ステップＳ６０７に進むと、当該１件の検査オーダによる検査が開始する。ステップＳ６０７の処理は、例えば、図５のステップＳ５０５の処理と同じであるので、ここでは、その詳細な説明を省略する。そして、図６のフローチャートによる処理を終了する。
【００６０】
一方、ステップＳ６０６において、検査オーダの数が１件でない場合（検査オーダの数が複数である場合）には、ステップＳ６０８に進む。ステップＳ６０８に進むと、当該複数の検査オーダの中からオペレータにより選択された検査オーダによる検査が開始する。ステップＳ６０８の処理は、例えば、図５のステップＳ５０６の処理と同じであるので、ここでは、その詳細な説明を省略する。そして、図６のフローチャートによる処理を終了する。
【００６１】
以上のようにしても第１の実施形態で説明したのと同様の効果を得ることができる。また、本実施形態においても、第１の実施形態で説明した変更例を採用することができる。
【００６２】
（第３の実施形態）
次に、第３の実施形態について説明する。第１、第２の実施形態では、検査の実施中に、ＲＩＳ１２から検査オーダの取得要求を受信すると、当該検査オーダによる検査よりも、実施中の検査を優先して行う場合を例に挙げて説明した。一方で、例えば、ＲＩＳ１２から取得要求のあった検査オーダが緊急の検査オーダである場合のように、実施中の検査よりも、当該検査オーダによる検査を優先させる必要がある場合がある。
【００６３】
そこで、本実施形態では、検査の開始から終了までの間に、ＲＩＳ１２から検査オーダの取得要求を受信すると、実施中の検査よりも、当該検査オーダによる検査を優先して行う。このように本実施形態と第１、第２の実施形態とは、検査の開始から終了までの間に、ＲＩＳ１２から検査オーダの取得要求を受信した場合の処理の一部が主として異なる。したがって、本実施形態の説明において第１、第２の実施形態と同一の部分については、図１〜図６に付した符号と同一の符号を付す等して詳細な説明を省略する。
【００６４】
図７は、ＲＩＳ１２から検査オーダを受信した場合のＸ線撮影制御装置１の動作の一例を説明するフローチャートである。
ステップＳ７０１において、撮影装置制御部５は、検査オーダの取得要求を、受信部１７を介して取得する。
次に、ステップＳ７０２において、撮影装置制御部５は、検査を実施中であるか否かを判定する。検査を実施中であるか否かの判定手法は、第１の実施形態で説明した通りである。
【００６５】
この判定の結果、検査を実施中でない場合には、ステップＳ７０３を省略して後述するステップＳ７０４に進む。
一方、検査を実施中である場合には、ステップＳ７０３に進む。ステップＳ７０３に進むと、Ｘ線撮影制御装置１は、実施中の検査を終了させる。例えば、図４Ａに示す撮影画面が表示されている場合には、当該撮影画面をクリアする。そして、ステップＳ７０４に進む。
【００６６】
ステップＳ７０４に進むと、撮影装置制御部５は、ＲＩＳ１２から、受信部１７を介して検査オーダを取得する。
次に、ステップＳ７０５において、撮影装置制御部５は、ステップＳ７０４で取得した検査オーダの数が１件であるか否かを判定する。この判定の結果、検査オーダの数が１件である場合には、ステップＳ７０６に進む。ステップＳ７０６に進むと、当該１件の検査オーダによる検査が開始する。ステップＳ７０６の処理は、例えば、図５のステップＳ５０５の処理と同じであるので、ここでは、その詳細な説明を省略する。
【００６７】
次に、ステップＳ７０７において、撮影装置制御部５は、ステップＳ７０４で取得した検査オーダによる検査が終了したか否かを判定する。具体的に本実施形態では、検査終了ボタン１１４が押下されたことにより、ステップＳ７０４で取得した検査オーダによる検査が終了したと判定する。この判定の結果、ステップＳ７０４で取得した検査オーダによる検査が終了していない場合には、ステップＳ７０６に戻り、当該検査が終了するまで、ステップＳ７０６、Ｓ７０７による処理を繰り返し行う。そして、ステップＳ７０４で取得した検査オーダによる検査が終了すると、後述するステップＳ７１０に進む。
【００６８】
ステップＳ７０５において、検査オーダの数が１件でない場合（検査オーダの数が複数である場合）には、ステップＳ７０８に進む。ステップＳ７０８に進むと、当該複数の検査オーダからオペレータにより選択された検査オーダによる検査が開始する。ステップＳ７０８の処理は、例えば、図５のステップＳ５０６の処理と同じであるので、ここでは、その詳細な説明を省略する。
次に、ステップＳ７０９において、撮影装置制御部５は、ステップＳ７０４で取得した全ての検査オーダによる検査が終了したか否かを判定する。このステップＳ７０９における判定方法は、前述したステップＳ７０７における判定方法と同じである。この判定の結果、ステップＳ７０４で取得した全ての検査オーダによる検査が終了していない場合には、ステップＳ７０８に戻り、ステップＳ７０４で取得した全ての検査オーダによる検査が終了するまで、ステップＳ７０８、Ｓ７０９による処理を繰り返し行う。そして、ステップＳ７０４で取得した全ての検査オーダによる検査が終了すると、ステップＳ７１０に進む。
【００６９】
ステップＳ７１０に進むと、Ｘ線撮影制御装置１は、ステップＳ７０３で終了した検査を再開させる。このとき、Ｘ線撮影制御装置１は、ステップＳ７０３で終了した時点で表示されていた画面を表示し、ステップＳ７０３で終了した時点から、検査を再開させることができる。また、Ｘ線撮影制御装置１は、ステップＳ７０３で終了した検査を最初から行うこともできる。そして、図７のフローチャートによる処理を終了する。
【００７０】
第１の実施形態で説明したように、検査中の検査オーダに、新たな検査オーダが割り込むことによって、オペレータの判断ミスに起因した患者の取り違えが生じるリスクがある。そこで、本実施形態では、ステップＳ７０６、Ｓ７０８において、撮影装置制御部５は、撮影されたＸ線画像が、割り込み撮影であることを示す情報を撮影画面に表示することを表示制御部１６に指示する。
【００７１】
図８、図９は、撮影されたＸ線画像が、割り込み撮影であることを示す情報が表示された撮影画面の例を示す図である。
図８に示す例では、Ｘ線画像（の被写体の情報と重ならない位置）に"割り込み撮影"の文字を表示する、図９に示す例では、割り込み撮影でない場合と、撮影画面の患者情報表示領域１０４の表示の白黒を反転させて表示する。尚、撮影されたＸ線画像が、割り込み撮影であることを示す情報を撮影画面に表示していれば、必ずしも図８、図９に示すような表示でなくてもよい。
また、割り込み撮影が行われた場合には、撮影されたＸ線画像と、当該Ｘ線画像が割り込み撮影された画像であることを示す情報とを相互に関連付けて記憶することができる。このようにした場合には、Ｘ線画像を確認（表示）するたびに、当該Ｘ線画像と共に、当該Ｘ線画像が割り込み撮影された画像であることを示す情報を表示したり、患者を確認する必要があることをオペレータに促す情報を表示したりすることができる。
【００７２】
以上のように本実施形態では、Ｘ線撮影制御装置１は、検査の開始から終了までの間に、ＲＩＳ１２から検査オーダの取得要求を受信すると、実施中の検査を保留にする。そして、当該検査オーダによる新規検査入力画面と撮影画面の表示を許可し、当該検査オーダによる検査を優先的に行う。したがって、検査中の検査オーダがあっても、緊急の検査オーダを割り込んで実行することができる。
尚、本実施形態では、中止した検査を再開する場合を例に挙げて説明したが、中止した検査を再開しない（図７のステップＳ７１０を行わない）ようにしてもよい。
この他、本実施形態においても第１、第２の実施形態で説明した変形例を採用することができる。
【００７３】
（第４の実施形態）
次に、第４の実施形態について説明する。第１、第２の実施形態では、検査の実施中に、ＲＩＳ１２から検査オーダの取得要求を受信すると、当該検査オーダによる検査よりも、実施中の検査を優先して行うようにした。一方、第３の実施形態では、検査の実施中に、ＲＩＳ１２から検査オーダの取得要求を受信すると、実施中の検査よりも、当該検査オーダによる検査を優先して行うようにした。このように、第１〜第３の実施形態では、検査オーダによる検査と、実施中の検査との何れを優先させるかを無条件で決定する。
【００７４】
しかしながら、検査オーダの内容等によって、検査オーダによる検査と、実施中の検査との何れを優先させるかが変わる場合がある。そこで、本実施形態では、検査の実施中に、ＲＩＳ１２から検査オーダの取得要求を受信すると、実施中の検査と、当該検査オーダによる検査との何れを優先させるかを判定する。このように、本実施形態と第１〜第３の実施形態とは、検査中に、ＲＩＳ１２から検査オーダの取得要求を受信した場合の処理の一部が主として異なる。したがって、本実施形態の説明において第１〜第３の実施形態と同一の部分については、図１〜図９に付した符号と同一の符号を付す等して詳細な説明を省略する。
【００７５】
図１０は、ＲＩＳ１２から検査オーダを受信した場合のＸ線撮影制御装置１の動作の一例を説明するフローチャートである。
ステップＳ１００１において、撮影装置制御部５は、検査オーダの取得要求を、受信部１７を介して取得する。
次に、ステップＳ１００２において、撮影装置制御部５は、検査を実施中であるか否かを判定する。検査を実施中であるか否かの判定手法は、第１の実施形態で説明した通りである。
この判定の結果、検査を実施中でない場合には、後述するステップＳ１００６に進む。
【００７６】
一方、検査を実施中である場合には、ステップＳ１００３に進む。ステップＳ１００３に進むと、撮影装置制御部５は、選択アラート画面を最前面に表示することを表示制御部１６に指示する。
図１１は、選択アラート画面１１００の一例を示す図である。
図１１に示す例では、選択アラート画面１１００は、検査オーダの取得要求を受諾するか否かをオペレータに確認するダイアログである。選択アラート画面１１００には、受諾ボタン１１０１と、拒絶ボタン１１０２が表示される。
オペレータは、取得要求のあった検査オーダを優先し、当該取得要求に応じる場合に、受諾ボタン１１０１を押下する。一方、実施中の検査を優先し、取得要求を拒絶する場合、オペレータは拒絶ボタン１１０２を押下する。
【００７７】
ステップＳ１００４に進むと、撮影装置制御部５は、選択アラート画面１１００に対するオペレータの操作の結果に基づいて、検査オーダの取得要求を受諾するか否かを判定する。図１１に示す例では、受諾ボタン１１０１が押下された場合に、撮影装置制御部５は、検査オーダの取得要求を受諾すると判定する。一方、拒絶ボタン１１０２が押下された場合に、撮影装置制御部５は、検査オーダの取得要求を受諾しない（拒絶する）と判定する。
【００７８】
この判定の結果、検査オーダの取得要求を拒絶する場合には、後述するステップＳ１０１３に進む。
一方、検査オーダの取得要求を受諾する場合には、ステップＳ１００５に進む。ステップＳ１００５に進むと、Ｘ線撮影制御装置１は、実施中の検査を終了させる。ステップＳ１００５の処理は、図７のステップＳ７０３と同じである。
次に、ステップＳ１００６において、撮影装置制御部５は、ＲＩＳ１２から、受信部１７を介して検査オーダを取得する。その後、ステップＳ１００７〜Ｓ１０１２の処理が行われる。すなわち、ステップＳ１００６で取得した検査オーダによる検査を行い、当該検査が終了した後、ステップＳ１００５で終了した検査を再開する。ステップＳ１００７〜Ｓ１０１２の処理は、それぞれ図７のステップＳ７０５〜Ｓ７１０の処理と同じであるので、ステップＳ１００７〜Ｓ１０１２の処理の詳細な説明を省略する。
【００７９】
ステップＳ１００４において、検査オーダの取得要求を拒絶すると判定され、ステップＳ１０１３に進むと、ステップＳ１０１３、Ｓ１０１４の処理が行われる。すなわち、Ｘ線撮影制御装置１は、ＲＩＳ１２へ検査オーダの取得要求を拒絶することを通知し、検査中の検査を続行する。ステップＳ１０１３、Ｓ１０１４の処理は、それぞれ図５のステップＳ５０７、Ｓ５０８の処理と同じであるので、ステップＳ１０１３、Ｓ１０１４の処理の詳細な説明を省略する。
【００８０】
以上のように本実施形態では、検査の実施中に、ＲＩＳ１２から検査オーダの取得要求を受信すると、実施中の検査と、当該検査オーダによる検査との何れを優先させるかをオペレータに判断させるようにした。したがって、取得要求のあった検査オーダと実施中の検査とのうち、オペレータが、より優先度が高いと判断する検査を優先的に実施することができる。
【００８１】
本実施形態では、検査オーダの取得要求を拒絶する場合には、第１の実施形態のようにして、当該検査オーダを受信しない場合を例に挙げて説明した。しかしながら、第２の実施形態のように、当該検査オーダを受信して保留にしておき、実施中の検査が終了した後に、当該検査オーダによる検査を行うようにしてもよい。このようにする場合には、例えば、図１０のステップＳ１０１３、Ｓ１０１４の処理の代わりに、図６のステップＳ６０２〜Ｓ６０８の処理を行うようにすればよい。
【００８２】
また、本実施形態では、実施中の検査と、当該検査オーダによる検査との何れを優先させるかをオペレータに判断させる場合を例に挙げて説明した。しかしながら、実施中の検査と、当該検査オーダによる検査との何れを優先させるかをＸ線撮影制御装置１（撮影装置制御部５）が自動的に判断してもよい。
例えば、緊急性の高い検査オーダをＲＩＳ１２に登録する際に、オペレータはＲＩＳ１２を操作して、そのことを示す情報をＲＩＳ１２に入力する。これにより、ＲＩＳ１２は、当該検査オーダと緊急オーダフラグとを相互に関連付けて登録する。そして、ＲＩＳ１２は、当該検査オーダの取得要求と共に、緊急オーダフラグをＸ線撮影制御装置１に送信する。
【００８３】
Ｘ線撮影制御装置１（撮影装置制御部５）は、検査オーダの取得要求に緊急オーダフラグが付加されている場合には、当該取得要求を受諾する。一方、検査オーダの取得要求に緊急オーダフラグが付加されていない場合、Ｘ線撮影制御装置１（撮影装置制御部５）は、当該取得要求を拒絶する。このようにして検査オーダの取得要求を受諾する場合、実施中の検査が終了する（図１０のステップＳ１００５を参照）。したがって、この場合、撮影装置制御部５は、実施中の検査が終了する前に、緊急の検査オーダによる検査に移行することを示す情報を画面の最前面に表示することを表示制御部１６に指示して、当該情報を表示した後、実施中の検査を終了するのが好ましい。また、緊急の検査オーダによる検査に移行することを示す情報を単に表示するのではなく、緊急の検査オーダによる検査に移行することを受諾するか否かをオペレータに確認するための画面を最前面に表示してもよい。この場合、当該画面に対して、緊急の検査オーダによる検査に移行することを受諾することを示す操作が行われた場合に限り、緊急の検査オーダによる検査に移行することになる。
【００８４】
また、本実施形態では、検査オーダの取得要求を受信した後に選択アラート画面を表示して、検査オーダの取得要求を受諾するか否かをオペレータに確認する場合を例に挙げて説明した。しかしながら、検査オーダの取得要求を受諾するか否かを事前（例えば、検査オーダの取得要求を受信する前（図１０のステップＳ１００１の前））にオペレータに設定させるようにしてもよい。このようにする場合には、図１０のステップＳ１００３の処理が不要になる。その代わりに、例えば、Ｘ線撮影制御装置１は、検査オーダの取得要求を受諾するか否かをオペレータが設定するための画面を、図１０のステップＳ１００１の前のタイミングで表示する。そして、Ｘ線撮影制御装置１は、当該画面で、検査オーダの取得要求を受諾することが設定されたか否かの判定を、ステップＳ１００４の代わりに行う。また、検査オーダの取得要求に前述した緊急オーダフラグが付加されている場合に、当該緊急の検査オーダによる検査に移行することを受諾するか否かをオペレータが設定するための画面を、図１０のステップＳ１００１の前のタイミングで表示してもよい。例えば、当該画面で、検査オーダの取得要求を受諾することが設定された場合であって、検査オーダの取得要求に緊急オーダフラグが付加されている場合に、ステップＳ１００４でＹＥＳと判定され、そうでない場合にステップＳ１００４でＮＯと判定される。また、これらの画面による設定の機能の双方をＸ線撮影制御装置１が有していてもよいし、何れか一方の機能をＸ線撮影制御装置１が有していてもよい。
この他、本実施形態においても第１〜第３の実施形態で説明した変形例を採用することができる。
【００８５】
尚、前述した実施形態は、何れも本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
【００８６】
（その他の実施例）
本発明は、前述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００８７】
１：Ｘ線撮影制御装置、５：撮影装置制御部、１２：ＲＩＳ
【図１】
2015188515.tif 000003
【図２Ａ】
2015188515.tif 000004
【図２Ｂ】
2015188515.tif 000005
【図２Ｃ】
2015188515.tif 000006
【図３】
2015188515.tif 000007
【図４Ａ】
2015188515.tif 000008
【図４Ｂ】
2015188515.tif 000009
【図５】
2015188515.tif 000010
【図６】
2015188515.tif 000011
【図７】
2015188515.tif 000012
【図８】
2015188515.tif 000013
【図９】
2015188515.tif 000014
【図１０】
2015188515.tif 000015
【図１１】
2015188515.tif 000016